(57)【要約】【課題】本考案は、掴みに便利であり、快適であり、実用性があり、熱量の保存に役に立ち、採暖効果を増加させる美点を有する、ハンドウォーマー構造を有する採暖装置を提供する。【解決手段】採暖装置本体及びハンドウォーマー構造を備え、ハンドウォーマー構造は採暖装置本体の外部に設置され、両端にユーザの両手が挿入するための開口を設置しておき、ハンドウォーマー構造及び採暖装置本体は採暖チャンバーを構成する。【選択図】図１
2015188632.tif 000002
【特許請求の範囲】
【請求項１】
ハンドウォーマー構造を有する採暖装置であって、
採暖装置本体及びハンドウォーマー構造を備え、ハンドウォーマー構造は採暖装置本体の外部に設置され、両端にユーザの両手が挿入するための開口を設置しておき、ハンドウォーマー構造及び採暖装置本体は採暖チャンバーを構成することを特徴とする装置。
【請求項２】
採暖装置本体は電気湯たんぽであり、ハンドウォーマー構造は電気湯たんぽの外部に設置されることを特徴とする請求項１に記載のハンドウォーマー構造を有する採暖装置。
【請求項３】
採暖装置本体は一端が開口する収納装置及び電気湯たんぽを含み、電気湯たんぽは収納装置内部に位置し、ハンドウォーマー構造は収納装置の外部に設置されることを特徴とする請求項１に記載のハンドウォーマー構造を有する採暖装置。
【請求項４】
収納装置はジッパー付きの布カバーであることを特徴とする請求項３に記載のハンドウォーマー構造を有する採暖装置。
【請求項５】
前記採暖装置本体の表布は柔性表布であることを特徴とする請求項１に記載のハンドウォーマー構造を有する採暖装置。
【請求項６】
前記採暖装置本体の表布はプラッシュ布の表布であることを特徴とする請求項５に記載のハンドウォーマー構造を有する採暖装置。
【請求項７】
前記ハンドウォーマー構造の表布は柔性表布であることを特徴とする請求項１に記載のハンドウォーマー構造を有する採暖装置。
【請求項８】
前記ハンドウォーマー構造の表布はプラッシュ布の表布であることを特徴とする請求項７に記載のハンドウォーマー構造を有する採暖装置。
【請求項９】
電気湯たんぽは、密封袋体、加熱ユニット及び電源接続ユニットを備え、密封袋体内部の密封チャンバーに熱量を伝達するための液体媒体が填充され、液体媒体が所定温度での膨張または気化の総体積は液体媒体が常温下での正常体積に対応し、加熱ユニットは密封チャンバー内に設置されて液体媒体に浸漬され、電源接続ユニットは密封袋体に密封接続され、電源接続ユニットの一部は密封袋体外部に露出し、他の一部は密封袋体の密封チャンバー内に密封され、電源接続ユニットは加熱ユニットに電気的に接続されることを特徴とする請求項２に記載のハンドウォーマー構造を有する採暖装置。
【請求項１０】
前記密封袋体は内層袋体及び外層袋体を含み、内層袋体は密封袋体の最内層に設けられ、内層袋体は柔性の水密性材料により製造され、内層袋体が密封して形成した密封チャンバーは液体媒体を収納し、外層袋体は密封袋体の最外層に設けられ、外層袋体は柔性の材料により製造され、外層袋体は内層袋体に密接し、外層袋体は人体に接触することを特徴とする請求項９に記載のハンドウォーマー構造を有する採暖装置。
【請求項１１】
電源接続ユニットは取付カバー、温度制御ユニット及びソケットを備え、取付カバーは外置部及び内蔵部を含み、取付カバーは密封袋体に密封接続され、取付カバーの外置部は密封袋体の外部に露出し、取付カバーの内蔵部は密封袋体の密封チャンバー内に密封され、温度制御ユニットは取付カバーの内蔵部内に設置されて加熱ユニットに直列接続され、温度制御ユニットは電気湯たんぽ内部温度に応じて回路の開閉を制御し、ソケットは取付カバーの外置部に装着されて密封袋体外部に露出し、ソケットは温度制御ユニット及び加熱ユニットに電気的に接続され、完全な回路を構成することを特徴とする請求項９に記載のハンドウォーマー構造を有する採暖装置。
【請求項１２】
ハンドウォーマー構造の内部に加熱ダクトが設置され、加熱ダクトは密封チャンバーと連通することを特徴とする請求項９に記載のハンドウォーマー構造を有する採暖装置。
【発明の詳細な説明】
【技術分野】
【０００１】
本発明は採暖装置分野に関し、具体的には、ハンドウォーマー構造を有する採暖装置に関する。
【背景技術】
【０００２】
寒い冬に、多くの人は採暖装置を用いて暖を取る。携帯性が強い湯たんぽが知られている。湯たんぽは水密性材料により密封した袋体に製造され、袋体内腔は湯を収納する。湯で熱量を袋体に伝達し、そして袋体を介して熱量を人体に伝達し、採暖効果を達する。しかし、このような湯たんぽは構造が単一であり、湯たんぽ袋体をつかむ時に、手のひらは袋体に接触して暖を取るが、手の甲は寒冷の空気に露出し、採暖効果を大幅に低減させた。
【０００３】
それとともに、使用時に、ユーザは手で袋体を、採暖必要がある部位、例えば腹部までにつかむ必要がある。手を緩めると、湯たんぽはユーザから落ちる。一般に、袋体は厚い耐高温ゴム材料により製造され、質感は硬く、人体との接触に不利であり、ユーザの快適感に影響する。なお、このような材料により、湯たんぽの熱量が速く消え、長時間にわたる採暖効果を維持することができない。
【０００４】
明らかに、従来の技術にはある程度の欠陥が存在する。
【発明の概要】
【発明が解決しようとする課題】
【０００５】
本発明が解決しようとする技術問題は掴みに便利であり、快適であり、実用性があり、熱量を保存するに役に立ち、採暖効果を増加させる美点を有する、ハンドウォーマー構造を有する採暖装置を提供することにある。
【課題を解決するための手段】
【０００６】
上記の目的を実現するために、本発明は以下の技術的手段を用いる。
【０００７】
ハンドウォーマー構造を有する採暖装置であって、採暖装置本体及びハンドウォーマー構造を備え、ハンドウォーマー構造は採暖装置本体の外部に設置され、両端にユーザの両手が挿入するための開口を設置しておき、ハンドウォーマー構造及び採暖装置本体は採暖チャンバーを構成する。
【０００８】
さらに、採暖装置本体は電気湯たんぽであり、ハンドウォーマー構造は電気湯たんぽの外部に設置される。
【０００９】
さらに、採暖装置本体は一端が開口する収納装置及び電気湯たんぽを含み、電気湯たんぽは収納装置内部に位置し、ハンドウォーマー構造は収納装置の外部に設置される。
【００１０】
さらに、収納装置はジッパー付きの布カバーである。
【００１１】
さらに、前記採暖装置本体の表布は柔性表布である。
【００１２】
さらに、前記採暖装置本体の表布はプラッシュ布の表布である。
【００１３】
さらに、前記ハンドウォーマー構造の表布は柔性表布である。
【００１４】
さらに、前記ハンドウォーマー構造の表布はプラッシュ布の表布である。
【００１５】
さらに、電気湯たんぽは、密封袋体、加熱ユニット及び電源接続ユニットを備え、密封袋体内部の密封チャンバーに熱量を伝達するための液体媒体が填充され、液体媒体が所定温度での膨張または気化の総体積は液体媒体が常温下での正常体積に対応し、加熱ユニットは密封チャンバー内に設置されて液体媒体に浸漬され、電源接続ユニットは密封袋体に密封接続され、電源接続ユニットの一部は密封袋体外部に露出し、他の一部は密封袋体の密封チャンバー内に密封され、電源接続ユニットは加熱ユニットに電気的に接続される。
【００１６】
さらに、前記密封袋体は内層袋体及び外層袋体を含み、内層袋体は密封袋体の最内層に設けられ、内層袋体は柔性の水密性材料により製造され、内層袋体が密封して形成した密封チャンバーは液体媒体を収納し、外層袋体は密封袋体の最外層に設けられ、外層袋体は柔性の材料により製造され、外層袋体は内層袋体に密接し、外層袋体は人体に接触する。
【００１７】
さらに、電源接続ユニットは取付カバー、温度制御ユニット及びソケットを備え、取付カバーは外置部及び内蔵部を含み、取付カバーは密封袋体に密封接続され、取付カバーの外置部は密封袋体の外部に露出し、取付カバーの内蔵部は密封袋体の密封チャンバー内に密封され、温度制御ユニットは取付カバーの内蔵部内に設置されて加熱ユニットに直列接続され、温度制御ユニットは電気湯たんぽ内部温度に応じて回路の開閉を制御し、ソケットは取付カバーの外置部に装着されて密封袋体外部に露出し、ソケットは温度制御ユニット及び加熱ユニットに電気的に接続され、完全な回路を構成する。
【００１８】
さらに、ハンドウォーマー構造の内部に加熱ダクトが設置され、加熱ダクトは密封チャンバーと連通する。
【発明の効果】
【００１９】
本発明は提供したハンドウォーマー構造を有する採暖装置は以下の美点を有する。
【００２０】
使用時、ユーザは手を開口から採暖チャンバーに挿入することができ、採暖装置本体の熱量は採暖チャンバー内に効果的に保存され、手部全体は暖を取ることができ、採暖効果を増加する。
【００２１】
ハンドウォーマー構造はユーザの手部を囲み、ユーザが採暖装置本体に対して余計につかむ必要はない。
【００２２】
採暖装置本体及びハンドウォーマー構造は柔性表布により製造され、質感は柔軟であり、人体との接触に有利であり、ユーザの快適感を増強する。
【００２３】
採暖装置本体及びハンドウォーマー構造はプラッシュ布の表布により製造され、プラッシュ布の表布上の絨毛は熱量をさらに保存し、熱量損失を低減させ、採暖効果をさらに長持ちにする。
【図面の簡単な説明】
【００２４】
本発明の実施例または従来の技術における技術的手段をさらに明確に説明するために、以下、実施例または従来の技術に対する記述に用いられる図面を簡単に説明し、明らかに、以下に記載の図面はただ本発明のある実施例であり、当業者にとって、創造性労働を経ることなく、これらの図面に基づいてその他の図面を取得することができる。
【００２５】
【図１】本発明の実施例が提供したハンドウォーマー構造を有する採暖装置の構造を示す図である。
【図２】図１の側面図である。
【図３】採暖装置本体の構造を示す図である。
【図４】指示灯付きの採暖装置本体の構造を示す図である。
【図５】本発明の実施例２の構造を示す図である。
【発明を実施するための形態】
【００２６】
本発明の実施例の目的、技術的手段及び美点をさらに明確になるように、以下、本発明の実施例及び図面を参照しながら、本発明の実施例における技術的手段を詳細に説明する。説明すべきことは、記述した実施例はただ本発明の一部実施例であるが、すべての実施例ではない。本発明における実施例に基づき、当業者は創造性労働を経ずに取得したすべての他の実施例はいずれも本発明保護の範囲に含まれる。
【００２７】
＜実施例１＞
図１及び図２を参照されない。ハンドウォーマー構造を有する採暖装置であって、採暖装置本体及びハンドウォーマー構造２を備え、ハンドウォーマー構造２は採暖装置本体の外部に設置され、両端にユーザの両手が挿入するための開口を設置しておき、ハンドウォーマー構造２及び採暖装置本体は採暖チャンバー３を構成する。
【００２８】
本実施例では、採暖装置本体は電気湯たんぽ９であり、ハンドウォーマー構造２は電気湯たんぽ９の外部に設置される。
【００２９】
使用時に、ユーザは両手を開口から採暖チャンバー３に挿入することができる。従来の技術の採暖袋は、ハンドウォーマー構造２を有しなく、ユーザの両手は採暖袋表面に密着する時に、手のひらは暖を取ることができるが、寒い空気に露出する手の甲は全然暖を取れない。従来の技術とは異なり、本発明のハンドウォーマー構造２は採暖袋の熱量を採暖チャンバー３内に保存することができ、採暖チャンバー３内の両手は極めてよい採暖効果を有する。
【００３０】
それとともに、ハンドウォーマー構造２はユーザの両手を囲み、ユーザの両手に対してある程度の掴み作用を果たし、採暖装置本体はユーザの両手に従って運動することができ、常にユーザの両手に密接される。これによって、ユーザは採暖装置本体に対して余分な掴み動作を行わなくてもよく、採暖袋の使用が極めて便利になる。
【００３１】
改良として、前記採暖装置本体の表布及び前記ハンドウォーマー構造２の表布は柔性表布である。従来の技術における湯たんぽ表布は厚い耐高温ゴムであり、質感が硬く、人体との接触は極めて不快適である。しかし、改良として、本発明は、表布として柔性表布を用い、ユーザの快適感を大幅に改善した。
【００３２】
さらに改良として、前記採暖装置本体の表布及び前記ハンドウォーマー構造２の表布はプラッシュ布の表布である。単純の柔性表布は表面素地が滑らかであると、採暖袋の熱量が速く消え、持続して暖を取ることができない。プラッシュ布の表布表面の細小な絨毛は、熱量を効果的に保存することができ、熱量損失を低減し、採暖袋の採暖効果を更に持続させる。
【００３３】
本発明は提供したハンドウォーマー構造を有する採暖装置は、ハンドウォーマー構造２を増加し、ユーザは手を開口からハンドウォーマー構造２及び採暖装置本体から構成される採暖チャンバー３に挿入することができ、採暖チャンバー３の熱量保存の作用下で、ユーザは極めてよい採暖効果を取得できる。それとともに、ハンドウォーマー構造２はユーザの手部を囲むことができ、ユーザの手部に対してある程度の掴み作用を果たし、ユーザは採暖袋に対して余計につかむ動作を行わなくてもよく、使用は極めて実用的、便利である。本発明はさらに、表布の使用により、採暖袋をさらに改良し、人体との接触に有利であり、ユーザの快適感を増加し、同時に熱量の保存を支援し、熱量損失を低減し、採暖効果を長持ちにする。
【００３４】
図３及び図４を参照されたい。採暖装置本体は、密封袋体、加熱ユニット５及び電源接続ユニット４を備え、密封袋体内部の密封チャンバーに熱量を伝達するための液体媒体が填充され、液体媒体が所定温度での膨張または気化の総体積は液体媒体が常温下での正常体積に対応し、加熱ユニット５は密封チャンバー内に設置されて液体媒体に浸漬され、電源接続ユニット４は密封袋体に密封接続され、電源接続ユニット４の一部は密封袋体外部に露出し、他の一部は密封袋体の密封チャンバー内に密封され、電源接続ユニット４は加熱ユニット５に電気的に接続される。
【００３５】
具体的に、前記密封袋体は内層袋体７及び外層袋体６を含み、内層袋体７は密封袋体の最内層に設けられ、内層袋体７は柔性の水密性材料により製造され、内層袋体７が密封して形成した密封チャンバーは液体媒体を収納し、外層袋体６は密封袋体の最外層に設けられ、外層袋体６は柔性の材料により製造され、外層袋体６は内層袋体７に密接し、外層袋体６は人体に接触する。
【００３６】
密封袋体は二層の設計を用いるのは、密封袋体の外層材質及び内層材質は異なる要求を有するからである。密封袋体内部の液体媒体は内層袋体７の密封作用下で、使用時に液体媒体が漏れないように保障する。外層袋体６は用いる材質は上述した採暖装置本体の表布であり、ユーザの快適性を考えるからであり、その具体的な機能は、ここで、贅言しない。
【００３７】
具体的に、前記電源接続ユニット４は取付カバー、温度制御ユニット及びソケットを備え、取付カバーは外置部及び内蔵部を含み、取付カバーは密封袋体に密封接続され、取付カバーの外置部は密封袋体の外部に露出し、取付カバーの内蔵部は密封袋体の密封チャンバー内に密封され、温度制御ユニットは取付カバーの内蔵部内に設置されて加熱ユニット５に直列接続され、温度制御ユニットは電気湯たんぽ内部温度に応じて回路の開閉を制御し、ソケットは取付カバーの外置部に装着されて密封袋体外部に露出し、ソケットは温度制御ユニット及び加熱ユニットに電気的に接続され、完全な回路を構成する。
【００３８】
ソケットを介して電流を加熱ユニット５に流入させ、加熱ユニット５を発熱させ、液体媒体を加熱し、したがって、ユーザは液体媒体に対して加熱または交換する必要がなく、操作が簡単であり、実用性が強い。同時に、温度制御ユニットは液体媒体の温度に応じて回路の開閉を制御し、液体媒体が特定の温度に加熱されると、温度制御ユニットは自動に回路を遮断して加熱を停止し、液体媒体の過熱を防止し、極めて高い安全性を有する。
【００３９】
改良として、前記電源接続ユニット４は指示灯８を更に備え、指示灯８は取付カバーの外置部に装着されて密封袋体外部に露出し、指示灯８は加熱ユニット５に並列接続される。指示灯８により、ユーザは採暖袋の動作状態が分かるようになる。
【００４０】
改良として、前記電源接続ユニット４は蓋を更に備え、蓋はソケットを覆って電源接続ユニット４に着脱可能に接続され、ソケットの露出と密封を制御する。蓋は主にソケットを保護し、ソケット損害または異物の進入を防止することに用いられ、これによって、採暖袋の使用寿命を延長することができる。
【００４１】
改良として、ハンドウォーマー構造２の内部に加熱ダクトが設置され、加熱ダクトは密封チャンバーと連通する。好ましくは、加熱ダクトは直径が細いプラスチックホースである。加熱ダクトは採暖効果をさらに増強することができるだけでなく、構造が簡単であり、製造しやすく、製造コストが低い。
【００４２】
＜実施例２＞
本実施例は実施例１との唯一の区別は、採暖装置本体は一端が開口する収納装置１及び電気湯たんぽ９であり、電気湯たんぽ９が収納装置１内部に置かれて、ハンドウォーマー構造２は収納装置１の外部に設置される。
【００４３】
電気湯たんぽ９と収納装置１とを分離して設置し、収納装置１に対する洗浄に有利である。原則的に、電気湯たんぽ９の洗浄は困難である。長時間の使用により、採暖装置本体は汚くなる。実施例１に記載のように、採暖装置本体として電気湯たんぽ９を直接使用し、汚れ目を除去しにくい問題をもたらす。本実施例に記載のように、採暖装置本体は収納装置１及び電気湯たんぽ９の両部分に分けられ、使用時に、電気湯たんぽ９を収納装置１に置き、長時間使用後、収納装置１の表面に汚れ目を有し、電気湯たんぽ９を直接取り出し、収納装置１に対して単独に洗浄する。
【００４４】
収納装置１はジッパー付きの布カバーである。収納装置１の表布は採暖装置本体の表布である。その技術特徴及び機能は実施例１と同一であり、ここで、贅言しない。
【００４５】
前記実施例は本発明のいくつかの実施形態を示したが、その記述はより具体と詳細であるが、本発明の範囲を限定することは意図していない。当業者にとって、本発明の要旨を逸脱しない範囲で、様々な変形及び改進を行うことができる。これらは本発明の保護範囲に含まれる。したがって、本発明の保護範囲は付属した特許請求の範囲を准とする。
【符号の説明】
【００４６】
１...収納装置
２...ハンドウォーマー構造
３...採暖チャンバー
４...電源接続ユニット
５...加熱ユニット
６...外層袋体
７...内層袋体
８...指示灯
９...電気湯たんぽ
【図１】
2015188632.tif 000003
【図２】
2015188632.tif 000004
【図３】
2015188632.tif 000005
【図４】
2015188632.tif 000006
【図５】
2015188632.tif 000007